(57)【要約】【課題】プレゼンテーションに関するプレゼン情報を簡素な構成で作成できるプロジェクタを提供する。【解決手段】プロジェクタ１は、光源装置５１と、光源装置５１から射出された光束を画像情報に応じて変調して画像光を形成する光変調装置５２と、画像光を拡大投射する投射光学装置５３と、光変調装置５２を制御する制御装置６０と、当該プロジェクタ１周囲の音を集音して音声信号を出力するマイク２０とを備える。制御装置６０は、入力操作された操作イベントを取得する操作イベント取得部６５と、操作イベント取得部６５にて取得された各操作イベント、および各操作イベントが取得される間隔時間を関連付けてプレゼン操作情報を作成するプレゼン操作作成部６７１と、マイク２０から出力される音声信号に基づいてプレゼン音声情報を作成するプレゼン音声作成部６７２とを備える。【選択図】図１
2009038623.tif 000002
【特許請求の範囲】
【請求項１】
光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタであって、
当該プロジェクタ周囲の音を集音して音声信号を出力する集音体を備え、
前記制御装置は、
入力操作された操作イベントを取得する操作イベント取得部と、
前記操作イベント取得部にて取得された各前記操作イベント、および前記各操作イベントが取得される間隔時間を関連付けてプレゼン操作情報を作成するプレゼン操作作成部と、
前記集音体から出力される音声信号に基づいてプレゼン音声情報を作成するプレゼン音声作成部とを備えている
ことを特徴とするプロジェクタ。
【請求項２】
請求項１に記載のプロジェクタにおいて、
前記プレゼン音声作成部は、
前記操作イベント取得部による操作イベントの取得順に前後の各操作イベントを前操作イベントおよび後操作イベントとした場合に、前記操作イベント取得部にて前記前操作イベントが取得されてから前記後操作イベントが取得されるまでに前記集音体から出力される音声信号に基づいて音声情報を生成し、生成した前記音声情報を前記前操作イベントに関連付けて前記プレゼン音声情報を作成する
ことを特徴とするプロジェクタ。
【請求項３】
請求項１または請求項２に記載のプロジェクタにおいて、
前記制御装置は、
前記操作イベントが前記プレゼン操作情報の作成に必要な操作イベントであるか否かを判定するためのイベント判定情報を記憶する判定情報記憶部と、
前記イベント判定情報に基づいて前記操作イベントを判定するイベント判定部とを備え、
前記操作イベント取得部は、
前記イベント判定部にて前記プレゼン操作情報の作成に必要な操作イベントであると判定された前記操作イベントを取得する
ことを特徴とするプロジェクタ。
【請求項４】
請求項１から請求項３のいずれかに記載のプロジェクタにおいて、
前記制御装置は、
前記プレゼン操作情報および前記プレゼン音声情報を記憶するプレゼン情報記憶部と、
前記プレゼン情報記憶部に記憶された前記プレゼン操作情報を読み出し、所定の資料情報に含まれる前記画像情報のうち前記プレゼン操作情報に含まれる前記操作イベントに応じた前記画像情報に基づく画像光を前記光変調装置に形成させ、前記プレゼン操作情報に含まれる前記間隔時間が経過した後、前記プレゼン操作情報に含まれる次の前記操作イベントに応じた前記画像情報に基づく画像光を前記光変調装置に形成させる画像再生制御部と、
前記プレゼン情報記憶部に記憶された前記プレゼン音声情報を読み出し、前記プレゼン音声情報に基づく音声を発音体に発生させる音声再生制御部とを備えている
ことを特徴とするプロジェクタ。
【請求項５】
光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報作成方法であって、
前記制御装置が、
入力操作された操作イベントを取得する操作イベント取得ステップと、
取得した各前記操作イベント、および前記各操作イベントを取得する間隔時間を関連付けてプレゼン操作情報を作成するプレゼン操作作成ステップと、
前記プロジェクタ周囲の音を集音する集音体から出力される音声信号に基づいてプレゼン音声情報を作成するプレゼン音声作成ステップとを実行する
ことを特徴とする情報作成方法。
【請求項６】
光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報作成プログラムであって、
請求項５に記載の情報作成方法を前記制御装置に実行させる
ことを特徴とする情報作成プログラム。
【請求項７】
光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタであって、
前記制御装置は、
従前に入力操作された操作イベント、および入力操作された各前記操作イベントの間隔時間が関連付けられたプレゼン操作情報を取得するプレゼン操作情報取得部と、
従前に集音された音声に関するプレゼン音声情報を取得するプレゼン音声情報取得部と、
所定の資料情報に含まれる前記画像情報のうち前記プレゼン操作情報に含まれる前記操作イベントに応じた前記画像情報に基づく画像光を前記光変調装置に形成させ、前記プレゼン操作情報に含まれる前記間隔時間が経過した後、前記プレゼン操作情報に含まれる次の前記操作イベントに応じた前記画像情報に基づく画像光を前記光変調装置に形成させる画像再生制御部と、
前記プレゼン音声情報に基づく音声を発音体に発生させる音声再生制御部とを備えている
ことを特徴とするプロジェクタ。
【請求項８】
光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報再生方法であって、
前記制御装置が、
従前に入力操作された操作イベント、および入力操作された各前記操作イベントの間隔時間が関連付けられたプレゼン操作情報を取得するプレゼン操作情報取得ステップと、
従前に集音された音声に関するプレゼン音声情報を取得するプレゼン音声情報取得ステップと、
所定の資料情報に含まれる前記画像情報のうち前記プレゼン操作情報に含まれる前記操作イベントに応じた前記画像情報に基づく画像光を前記光変調装置に形成させ、前記プレゼン操作情報に含まれる前記間隔時間が経過した後、前記プレゼン操作情報に含まれる次の前記操作イベントに応じた前記画像情報に基づく画像光を前記光変調装置に形成させる画像再生制御ステップと、
前記プレゼン音声情報に基づく音声を発音体に発生させる音声再生制御ステップとを実行する
ことを特徴とする情報再生方法。
【請求項９】
光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報再生プログラムであって、
請求項８に記載の情報再生方法を前記制御装置に実行させる
ことを特徴とする情報再生プログラム。
【発明の詳細な説明】
【技術分野】
【０００１】
本発明は、プロジェクタ、情報作成方法、情報再生方法、情報作成プログラム、および情報再生プログラムに関する。
【背景技術】
【０００２】
従来、講演者が講演（プレゼンテーション）を実施する際、プロジェクタ等の表示装置が用いられる。すなわち、表示装置にプレゼンテーションに必要な資料に関する資料情報に基づく表示画面を表示させながら、講演者は、プレゼンテーションを実施する。
このようにプロジェクタ等の表示装置を利用してプレゼンテーションを実施する構成において、プレゼンテーション時に表示装置に表示させる資料情報や講演者がプレゼンテーションを実施する場面を撮影した映像情報等をパッケージ化してマルチメディアコンテンツを生成するマルチメディアコンテンツ生成装置が知られている（例えば、特許文献１参照）。そして、プレゼンテーションを実施した後に、該マルチメディアコンテンツを表示することで、従前に実施したプレゼンテーションを擬似的に再現できる。
【０００３】
【特許文献１】特開２００５−２５２５７４号公報
【発明の開示】
【発明が解決しようとする課題】
【０００４】
しかしながら、特許文献１に記載の技術では、資料情報（PowerPoint（マイクロソフト社製）ファイル）と撮影した映像情報等をパッケージ化してマルチメディアコンテンツを生成しているため、資料情報を動画ファイルに変換する等の処理が必要となる。
このため、マルチメディアコンテンツを生成するにあたって、処理量が多くなり、複雑なハードウエアまたはソフトウエアが必要となる。また、生成したマルチメディアコンテンツ自体の容量が大きくなるため、マルチメディアコンテンツを記録する大容量の記録メディアが必要となる。さらに、上述した処理により、資料情報の劣化が生じ、マルチメディアコンテンツを表示する際に、資料情報に基づく画像の劣化が生じる。
【０００５】
本発明の第１の目的は、プレゼンテーションに関するプレゼン情報を簡素な構成で作成できるプロジェクタ、情報作成方法、および情報作成プログラムを提供することにある。
また、本発明の第２の目的は、資料情報に基づく画像に劣化が生じることなく、プレゼン情報を再生できるプロジェクタ、情報再生方法、および情報再生プログラムを提供することにある。
【課題を解決するための手段】
【０００６】
本発明のプロジェクタは、光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタであって、当該プロジェクタ周囲の音を集音して音声信号を出力する集音体を備え、前記制御装置は、入力操作された操作イベントを取得する操作イベント取得部と、前記操作イベント取得部にて取得された各前記操作イベント、および前記各操作イベントが取得される間隔時間を関連付けてプレゼン操作情報を作成するプレゼン操作作成部と、前記集音体から出力される音声信号に基づいてプレゼン音声情報を作成するプレゼン音声作成部とを備えていることを特徴とする。
【０００７】
ここで、操作イベント取得部が操作イベントを取得する構成としては、例えば、プロジェクタに入力操作可能な操作部を設け、操作部に入力操作された操作イベントを取得する構成としてもよいし、あるいは、ＰＣ(Personal Computer)等に入力操作され、ＰＣ等から出力される制御コマンドを操作イベントとして取得する構成としてもよい。
また、集音体としては、プロジェクタの外装筐体に露出した状態で設けられた周囲の音（講演者にて説明された音声）を集音するマイクとして構成としてもよいし、講演者にて説明された音声を集音するワイヤレスマイクから送信される信号を受信する受信部として構成してもよい。
さらに、制御装置（操作イベント取得部、プレゼン操作作成部、プレゼン音声作成部）がプレゼン操作情報やプレゼン音声情報のプレゼン情報を作成する構成としては、以下の構成が例示できる。
プロジェクタを利用してプレゼンテーションに必要とする資料情報に基づく投影画像を表示させながら、すなわち、プレゼンテーション時にプレゼン情報を作成する構成が例示できる。
また、プレゼンテーションを実施することなく、プレゼンテーションの聴衆が存在しない状態で、講演者が手元の資料を見ながら講演者により実施される前記操作部への入力操作や、講演者が説明した音声によりプレゼン情報を作成する構成が例示できる。
【０００８】
本発明によれば、プロジェクタが集音体および制御装置を備え、制御装置が操作イベント取得部、プレゼン操作作成部、およびプレゼン音声作成部を備えているので、プロジェクタを利用して、例えば、以下に示すように、プレゼン操作情報やプレゼン音声情報のプレゼン情報を作成できる。なお、以下では、説明を簡略化するために、プレゼンテーションに必要とする資料情報に基づく投影画像を表示させながら（プレゼンテーション時）、プレゼン情報を作成する構成を説明する。
先ず、操作イベント取得部は、プレゼンテーション時において利用者（講演者を含む）により入力操作された操作イベント（プレゼンテーションの開始、資料情報のページ送り、ページ戻し、プレゼンテーションの停止等の各操作イベント）を取得する（操作イベント取得ステップ）。
また、プレゼン操作作成部は、プロジェクタ内部のタイマ等により計測された時間に基づいて、操作イベント取得部にて各操作イベントが取得される間隔時間を認識する。そして、プレゼン操作作成部は、操作イベント取得部にて取得された各操作イベント、および前記間隔時間を関連付けてプレゼン操作情報を作成する（プレゼン操作作成ステップ）。
また、上記操作イベント取得ステップおよびプレゼン操作作成ステップに並行して、プレゼン音声作成部は、講演者にて説明された音声が集音体により集音され、集音体から出力される音声信号に基づいてプレゼン音声情報を作成する（プレゼン音声作成ステップ）。
そして、プレゼン情報を再生し、従前のプレゼンテーションを擬似的に再現する際には、作成されたプレゼン操作情報に含まれる操作イベントに応じて資料情報に基づく投影画像を表示し（例えば、ページ送りやページ戻しの操作イベントに応じたページの投影画像を表示し）、さらに、プレゼン音声情報に基づく音声を発生することにより実施されることとなる。
【０００９】
以上のように、プロジェクタは、資料情報を含めずに、プレゼンテーションに関するプレゼン操作情報およびプレゼン音声情報のプレゼン情報を作成しているので、従来の構成と比較して、資料情報を動画ファイルに変換する等の処理が不要となり、処理量の少ない簡素なハードウエアおよびソフトウエアでプレゼン情報を作成できる。また、プレゼン情報自体の容量も少ないため、プレゼン情報を記録するメモリを比較的に少ない容量のメモリで構成できる。したがって、プレゼンテーションに関するプレゼン情報を簡素な構成で作成でき、本発明の第１の目的を達成できる。
また、プレゼン情報を再生し、従前のプレゼンテーションを擬似的に再現する際には、従前のプレゼンテーション時と同様に、動画ファイル等に変換されていない資料情報に基づく投影画像が表示されることとなるため、資料情報に基づく画像に劣化が生じることがない。したがって、資料情報に基づく画像に劣化が生じることなく、プレゼン情報を再生でき、本発明の第２の目的を達成できる。
【００１０】
本発明のプロジェクタでは、前記プレゼン音声作成部は、前記操作イベント取得部による操作イベントの取得順に前後の各操作イベントを前操作イベントおよび後操作イベントとした場合に、前記操作イベント取得部にて前記前操作イベントが取得されてから前記後操作イベントが取得されるまでに前記集音体から出力される音声信号に基づいて音声情報を生成し、生成した前記音声情報を前記前操作イベントに関連付けて前記プレゼン音声情報を作成することが好ましい。
本発明では、プレゼン音声作成部は、操作イベント取得部にて前操作イベントが取得されてから後操作イベントが取得されるまでの期間毎に音声情報をそれぞれ生成し、生成した音声情報を前操作イベントにそれぞれ関連付けてプレゼン音声情報を生成する。例えば、プレゼン情報を再生する際に、プレゼン操作情報に含まれる各項目（各操作イベント）の項目送り、項目戻しが可能な構成、すなわち、複数の項目のうちいずれかの項目を利用者に選択可能とした構成とする。また、プレゼン情報を再生し、従前のプレゼンテーションを擬似的に再現する際、選択された項目（操作イベント）に応じたページの投影画像を表示させる構成とする。
そして、本発明では、プレゼン音声作成部が上述したようにプレゼン音声情報を作成するので、上述した構成において、選択された項目に応じたページの投影画像を表示しながら選択された項目に対応した音声情報に基づく音声を発生させ、従前のプレゼンテーション時に前記ページの投影画像を表示しながら講演者が説明した音声を発生させることが可能となる。また、プレゼン音声作成部が上述したようにプレゼン音声情報を作成するので、操作イベント（表示される投影画像のページ）に対応した音声情報の追加や削除等の編集作業が容易に実施でき、プレゼン音声情報の取り扱いが容易となる。
【００１１】
本発明のプロジェクタでは、前記制御装置は、前記操作イベントが前記プレゼン操作情報の作成に必要な操作イベントであるか否かを判定するためのイベント判定情報を記憶する判定情報記憶部と、前記イベント判定情報に基づいて前記操作イベントを判定するイベント判定部とを備え、前記操作イベント取得部は、前記イベント判定部にて前記プレゼン操作情報の作成に必要な操作イベントであると判定された前記操作イベントを取得することが好ましい。
本発明によれば、制御装置が判定情報記憶部およびイベント判定部を備え、操作イベント取得部がイベント判定部にてプレゼン操作情報の作成に必要な操作イベントであると判定された操作イベントを取得する。このことにより、プレゼン操作作成部は、例えば投影画像の画質調整等の不要な操作イベントを含めることなく、プレゼンテーションの開始、ページ送り、ページ戻し、およびプレゼンテーションの停止等の必要な操作イベントのみを含めてプレゼン操作情報を作成でき、不要にプレゼン操作情報の情報量を増大させることがない。
【００１２】
本発明のプロジェクタでは、前記制御装置は、前記プレゼン操作情報および前記プレゼン音声情報を記憶するプレゼン情報記憶部と、前記プレゼン情報記憶部に記憶された前記プレゼン操作情報を読み出し、所定の資料情報に含まれる前記画像情報のうち前記プレゼン操作情報に含まれる前記操作イベントに応じた前記画像情報に基づく画像光を前記光変調装置に形成させ、前記プレゼン操作情報に含まれる前記間隔時間が経過した後、前記プレゼン操作情報に含まれる次の前記操作イベントに応じた前記画像情報に基づく画像光を前記光変調装置に形成させる画像再生制御部と、前記プレゼン情報記憶部に記憶された前記プレゼン音声情報を読み出し、前記プレゼン音声情報に基づく音声を発音体に発生させる音声再生制御部とを備えていることが好ましい。
【００１３】
本発明によれば、制御装置は、プレゼン情報記憶部、画像再生制御部、および音声再生制御部を備えているので、以下に示すように、プレゼン情報を再生し、従前のプレゼンテーションを擬似的に再現できる。
先ず、画像再生制御部は、プレゼン情報記憶部に記憶されたプレゼン操作情報を読み出す。そして、画像再生制御部は、内蔵されたメモリや外部のメモリに記憶された所定の資料情報に含まれる画像情報のうちプレゼン操作情報に含まれる所定の操作イベントに応じた画像情報（例えば、ページ送りやページ戻しの操作イベントに応じたページの画像情報）に基づく画像光を光変調装置に形成させる。そして、前記所定の操作イベントに応じたページの投影画像が表示される。また、画像再生制御部は、プロジェクタ内部のタイマ等により計測された時間に基づいて、前記所定の操作イベントに応じたページの投影画像を表示させてから、プレゼン操作情報に含まれる間隔時間（操作イベント取得部にて前記所定の操作イベントと次の操作イベントとが取得される間隔時間）が経過したか否かを認識する。そして、画像再生制御部は、間隔時間が経過したと認識した場合に、前記所定の操作イベントの次の操作イベントに応じたページの投影画像を表示させる。画像再生制御部は、以上の動作をプレゼン操作情報に含まれる全ての操作イベントについて繰り返し実施する。
また、画像再生制御部による上述した制御に並行して、音声再生制御部は、プレゼン情報記憶部に記憶されたプレゼン音声情報を読み出す。そして、音声再生制御部は、プレゼン音声情報に基づく音声を発音体に発生させる。
【００１４】
本発明の情報作成方法は、光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報作成方法であって、前記制御装置が、入力操作された操作イベントを取得する操作イベント取得ステップと、取得した各前記操作イベント、および前記各操作イベントを取得する間隔時間を関連付けてプレゼン操作情報を作成するプレゼン操作作成ステップと、前記プロジェクタ周囲の音を集音する集音体から出力される音声信号に基づいてプレゼン音声情報を作成するプレゼン音声作成ステップとを実行することを特徴とする。
本発明の情報作成方法は、上述したプロジェクタによって実施されるものであるので、上述したプロジェクタと同様の作用および効果を享受できる。
【００１５】
本発明の情報作成プログラムは、光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報作成プログラムであって、上述した情報作成方法を前記制御装置に実行させることを特徴とする。
本発明の情報作成プログラムは、上述した情報作成方法を実施するために利用されるので、上述した情報作成方法と同様の作用および効果を享受できる。
【００１６】
本発明のプロジェクタは、光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタであって、前記制御装置は、従前に入力操作された操作イベント、および入力操作された各前記操作イベントの間隔時間が関連付けられたプレゼン操作情報を取得するプレゼン操作情報取得部と、従前に集音された音声に関するプレゼン音声情報を取得するプレゼン音声情報取得部と、所定の資料情報に含まれる前記画像情報のうち前記プレゼン操作情報に含まれる前記操作イベントに応じた前記画像情報に基づく画像光を前記光変調装置に形成させ、前記プレゼン操作情報に含まれる前記間隔時間が経過した後、前記プレゼン操作情報に含まれる次の前記操作イベントに応じた前記画像情報に基づく画像光を前記光変調装置に形成させる画像再生制御部と、前記プレゼン音声情報に基づく音声を発音体に発生させる音声再生制御部とを備えていることを特徴とする。
【００１７】
ここで、プレゼン操作情報およびプレゼン音声情報は、上述したプロジェクタや情報作成方法にて作成されたプレゼン操作情報およびプレゼン音声情報と同様のものである。
【００１８】
本発明によれば、プロジェクタの制御装置がプレゼン操作情報取得部、プレゼン音声情報取得部、画像再生制御部、および音声再生制御部を備えているので、例えば、以下に示すように、プレゼン情報を再生し、従前のプレゼンテーションを擬似的に再現できる。
先ず、プレゼン操作情報取得部およびプレゼン音声情報取得部は、内蔵されたメモリや外部のメモリに記憶されたプレゼン操作情報およびプレゼン音声情報をそれぞれ取得する（プレゼン操作情報取得ステップ、プレゼン音声情報取得ステップ）。
次に、画像再生制御部は、内蔵されたメモリや外部のメモリに記憶された所定の資料情報に含まれる画像情報のうちプレゼン操作情報に含まれる所定の操作イベントに応じた画像情報（例えば、ページ送りやページ戻しの操作イベントに応じたページの画像情報）に基づく画像光を光変調装置に形成させる。そして、前記所定の操作イベントに応じたページの投影画像が表示される。また、画像再生制御部は、プロジェクタ内部のタイマ等により計測された時間に基づいて、前記所定の操作イベントに応じたページの投影画像を表示させてから、プレゼン操作情報に含まれる間隔時間（入力操作された前記所定の操作イベントと次の操作イベントとの間隔時間）が経過したか否かを認識する。そして、画像再生制御部は、間隔時間が経過したと認識した場合に、前記所定の操作イベントの次の操作イベントに応じたページの投影画像を表示させる。画像再生制御部は、以上の動作をプレゼン操作情報に含まれる全ての操作イベントについて繰り返し実施する（画像再生制御ステップ）。
また、上記画像再生制御ステップに並行して、音声再生制御部は、プレゼン音声情報に基づく音声を発音体に発生させる（音声再生制御ステップ）。
【００１９】
以上のように、プレゼン情報を再生し、従前のプレゼンテーションを擬似的に再現する際には、従前のプレゼンテーション時と同様に、動画ファイル等に変換されていない資料情報に基づく投影画像が表示されることとなるため、資料情報に基づく画像に劣化が生じることがない。したがって、資料情報に基づく画像に劣化が生じることなく、プレゼン情報を再生でき、本発明の第２の目的を達成できる。
【００２０】
本発明の情報再生方法は、光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報再生方法であって、前記制御装置が、従前に入力操作された操作イベント、および入力操作された各前記操作イベントの間隔時間が関連付けられたプレゼン操作情報を取得するプレゼン操作情報取得ステップと、従前に集音された音声に関するプレゼン音声情報を取得するプレゼン音声情報取得ステップと、所定の資料情報に含まれる前記画像情報のうち前記プレゼン操作情報に含まれる前記操作イベントに応じた前記画像情報に基づく画像光を前記光変調装置に形成させ、前記プレゼン操作情報に含まれる前記間隔時間が経過した後、前記プレゼン操作情報に含まれる次の前記操作イベントに応じた前記画像情報に基づく画像光を前記光変調装置に形成させる画像再生制御ステップと、前記プレゼン音声情報に基づく音声を発音体に発生させる音声再生制御ステップとを実行することを特徴とする。
本発明の情報再生方法は、上述したプロジェクタによって実施されるものであるので、上述したプロジェクタと同様の作用および効果を享受できる。
【００２１】
本発明の情報再生プログラムは、光源装置と、前記光源装置から射出された光束を画像情報に基づいて変調して画像光を形成する光変調装置と、前記画像光を拡大投射する投射光学装置と、前記光変調装置を制御する制御装置とを備えたプロジェクタの情報再生プログラムであって、上述した情報再生方法を前記制御装置に実行させることを特徴とする。
本発明の情報再生プログラムは、上述した情報再生方法を実施するために利用されるので、上述した情報再生方法と同様の作用および効果を享受できる。
【発明を実施するための最良の形態】
【００２２】
[第１実施形態]
以下、本発明の第１実施形態を図面に基づいて説明する。
〔プロジェクタの構成〕
図１は、プロジェクタ１の概略構成を示すブロック図である。
プロジェクタ１は、画像情報に基づく画像光を形成し、スクリーン（図示略）上に拡大投射して投影画像を形成する。このプロジェクタ１は、図１に示すように、記録媒体駆動装置１０と、集音体としてのマイク２０と、発音体としてのスピーカ３０と、操作部４０と、画像投射部５０と、制御装置６０等で大略構成されている。
【００２３】
記録媒体駆動装置１０は、図示しないメモリカード等の記憶媒体を挿抜可能とし、記憶媒体が装着された状態で記憶媒体と電気的に接続する。そして、記録媒体駆動装置１０は、制御装置６０による制御の下、記憶媒体を駆動（記憶媒体の記憶領域にアクセス）する。この記録媒体駆動装置１０は、図１に示すように、デコーダ１１等を備え、記憶媒体に記憶された再生データ（画像データ（画像情報））を記憶媒体の記録方式に応じてデコード（復号化）し、制御装置６０に出力する。
なお、本実施形態では、記憶媒体に記憶された再生データとしては、プレゼンテーション時等に用いる資料に関するデータ（資料情報）であり、例えばページ毎に区分けされた各画像データ（画像情報）を含んで構成されるファイル（PowerPoint(マイクロソフト社製)ファイル等）で構成されている。
【００２４】
マイク２０は、外装筐体から一部が露出して設けられ、制御装置６０による制御の下、プロジェクタ１周囲の音を集音する一般的なマイクである。そして、マイク２０は、集音した音声に関する音声信号を制御装置６０に出力する。
スピーカ３０は、外装筐体から一部が露出して設けられ、制御装置６０による制御の下、所定の音声を発生する一般的なスピーカである。
【００２５】
操作部４０は、外装筐体に設けられた操作パネルや、リモートコントローラで構成され、利用者（プレゼンテーションを実施する講演者の他、その他の人も含む）が各種の入力操作を実施するための複数の操作ボタンを有する。そして、利用者による操作ボタンの入力操作により、操作部４０から操作信号が制御装置６０に出力される。
なお、具体的な図示は省略したが、本実施形態では、各種の入力操作を実施するための以下の複数の操作ボタンが設けられている。
例えば、プロジェクタ１の電源ＯＮ／ＯＦＦ、投影画像の画質調整、音量調整の入力操作を実施するための各操作ボタンが設けられている。
また、例えば、記録媒体駆動装置１０による記憶媒体に記憶された再生データの再生開始（プレゼンテーションの開始）、再生停止（プレゼンテーションの停止）の入力操作を実施するための各操作ボタンが設けられている。
さらに、例えば、記録媒体駆動装置１０による記憶媒体に記憶された再生データのページ送り、ページ戻しの入力操作を実施するための各操作ボタンが設けられている。
また、例えば、後述するプレゼン操作情報（プレゼン操作ファイル）に含まれる各項目（各操作イベント）の項目送り、項目戻しの入力操作を実施するための各操作ボタンが設けられている。
さらに、例えば、後述する通常動作モード、情報作成モード、自動プレゼンモードへの各モード移行の入力操作を実施するための各操作ボタンが設けられている。
【００２６】
画像投射部５０は、制御装置６０による制御の下、画像光を形成してスクリーンに拡大投射する。この画像投射部５０は、図１に示すように、光源装置５１と、光変調装置５２と、投射光学装置５３等を備える。
光源装置５１は、制御装置６０による制御の下、光束を光変調装置５２に向けて射出する。この光源装置５１は、放電発光型の超高圧水銀ランプで構成されている。なお、光源装置５１としては、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
【００２７】
光変調装置５２は、制御装置６０からの駆動信号に基づいて、光源装置５１から射出された光束を駆動信号に応じて画像光に変調して投射光学装置５３に射出する。
投射光学装置５３は、光変調装置５２から射出された画像光をスクリーンに向けて拡大投射する。
【００２８】
制御装置６０は、ＣＰＵ(Central Processing Unit)等を含んで構成され、メモリ６９に記憶された制御プログラム（情報作成プログラム、情報再生プログラムを含む）にしたがって所定の処理を実行し、プロジェクタ１全体を制御する。なお、以下では、記憶媒体に記録された再生データの再生時において、プレゼンテーションに関するプレゼン情報（後述するプレゼン操作ファイルおよびプレゼン音声ファイル）を作成する処理機能、および前記プレゼン情報に応じて前記再生データを再生する処理機能を主に説明し、その他の機能（外部機器から入力した信号の処理機能等）については説明を省略している。この制御装置６０は、図１に示すように、画像情報処理部６１と、音声情報処理部６２と、モード移行部６３と、イベント判定部６４と、操作イベント取得部６５と、タイマ６６と、情報作成部６７と、再生制御部６８と、メモリ６９等を備える。
【００２９】
画像情報処理部６１は、再生制御部６８からの制御指令に応じて、記録媒体駆動装置１０から出力された画像データに対して所定の処理を施し、処理を施した画像データに基づく駆動信号を光変調装置５２に出力して、所定の画像光を光変調装置５２に形成させる。この画像情報処理部６１は、図１に示すように、画像データ処理部６１１と、パネル駆動部６１２等を備える。
画像データ処理部６１１は、記録媒体駆動装置１０から出力された画像データに対して、解像度を光変調装置５２の解像度（画素数）に合わせる解像度変換処理、拡大・縮小等の画像サイズ調整処理、色相、色度、コントラスト、シャープネス、および輝度等の画質補正処理、メニューやメッセージ等のＯＳＤ（オンスクリーンディスプレイ）画像を合成する処理、台形歪補正処理、ガンマ補正処理等の各種の画像データ処理を実施する。なお、具体的な図示は省略したが、画像データ処理部６１１は、上述した画像データ処理を実施する際の画像メモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。
パネル駆動部６１２は、画像データ処理部６１１にて画像データ処理が施された画像データから光変調装置５２を駆動するための駆動信号を生成し、光変調装置５２に駆動信号を出力することで画像（画像光）を形成させる。
【００３０】
音声情報処理部６２は、再生制御部６８からの制御指令に応じて、メモリ６９に記憶された後述するプレゼン音声ファイルに含まれる各音声データを読み出し、該音声データに基づく音声をスピーカ３０から発生させる。この音声情報処理部６２は、図１に示すように、メモリ６９に記憶された音声データをデコード（復号化）するデコーダ６２１と、デコードされた音声データをＤ／Ａ変換し、Ｄ／Ａ変換した音声信号を出力するＤ／Ａコンバータ６２２と、Ｄ／Ａ変換された音声信号を増幅してスピーカ３０に出力するアンプ６２３等を備える。
【００３１】
モード移行部６３は、利用者により操作部４０へ各モード移行の入力操作が実施された場合に、入力操作された操作イベントに応じたモードに移行し、プロジェクタ１全体をモードに応じて動作させる。
例えば、モード移行部６３は、入力操作された操作イベントが通常動作モードに移行させる旨の操作イベントである場合には、プロジェクタ１を通常動作させる通常動作モードに設定する。
また、例えば、モード移行部６３は、入力操作された操作イベントが情報作成モードに移行させる旨の操作イベントである場合には、情報作成部６７にてプレゼン情報を作成可能とする情報作成モードに設定する。
さらに、例えば、モード移行部６３は、入力操作された操作イベントが自動プレゼンモードに移行させる旨の操作イベントである場合には、再生制御部６８にて前記プレゼン情報に応じて前記再生データを再生する自動プレゼンモードに設定する。
【００３２】
イベント判定部６４は、情報作成モード時において、メモリ６９に記憶された後述するイベント判定情報に基づいて、利用者により操作部４０へ入力操作された操作イベントが情報作成部６７によるプレゼン操作ファイルの作成に必要な操作イベントであるか否かを判定する。
操作イベント取得部６５は、イベント判定部６４にてプレゼン操作ファイルの作成に必要であると判定された操作イベントを取得する。
【００３３】
情報作成部６７は、情報作成モード時において、プレゼン情報を作成する。この情報作成部６７は、図１に示すように、プレゼン操作作成部６７１と、プレゼン音声作成部６７２とを備える。
プレゼン操作作成部６７１は、タイマ６６にて計測された時間に基づいて、操作イベント取得部６５により各操作イベントが取得される間隔時間を認識する。そして、プレゼン操作作成部６７１は、操作イベント取得部６５にて取得された各操作イベント、および前記間隔時間を関連付けてプレゼン操作ファイルを作成し、メモリ６９に記憶させる。
【００３４】
プレゼン音声作成部６７２は、操作イベント取得部６５による操作イベントの取得順に前後の各操作イベントを前操作イベントおよび後操作イベントとした場合に、操作イベント取得部６５にて前操作イベントが取得されてから後操作イベントが取得されるまでに、マイク２０から出力される音声信号に基づいて音声データ（音声情報）を生成する。そして、プレゼン音声作成部６７２は、生成した音声データを前操作イベントに関連付けてプレゼン音声ファイルを作成し、メモリ６９に記憶させる。このプレゼン音声作成部６７２は、図１に示すように、マイク２０から出力される音声信号をＡ／Ｄ変換し、Ａ／Ｄ変換した音声データを出力するＡ／Ｄコンバータ６７２Ａと、Ａ／Ｄ変換された音声データをエンコード（符号化）するエンコーダ６７２Ｂ等を備える。
【００３５】
再生制御部６８は、通常動作モードおよび情報作成モード時において、利用者により操作部４０へ入力操作された前記再生データの再生開始、再生停止、ページ送り、ページ戻し等の各操作イベントに応じて、記録媒体駆動装置１０から画像データを出力させる。そして、再生制御部６８は、画像情報処理部６１に所定の制御指令を出力し、画像投射部５０から前記画像データに基づく画像光を拡大投射させる通常再生制御を実施する。
また、再生制御部６８は、自動プレゼンモード時において、利用者により操作部４０へ入力操作された前記再生データの再生開始、再生停止、プレゼン操作ファイルに含まれる各項目の項目送り、項目戻し等の操作イベント、およびメモリ６９に記憶されたプレゼン操作ファイルおよびプレゼン音声ファイルに応じて、記録媒体駆動装置１０から画像データを出力させ、画像情報処理部６１および音声情報処理部６２に所定の制御指令を出力する。そして、再生制御部６８は、画像投射部５０から画像データに基づく画像光を拡大投射させるとともにスピーカ３０からプレゼン音声ファイルに含まれる音声データに基づく音声を発生させ、従前に実施したプレゼンテーションを擬似的に再現する自動再生制御を実施する。
そして、再生制御部６８は、上記通常再生制御および自動再生制御を実施する機能として、図１に示すように、画像情報処理部６１に所定の制御指令を出力する画像再生制御部６８１と、音声情報処理部６２に所定の制御指令を出力する音声再生制御部６８２とを備える。
【００３６】
メモリ６９は、制御プログラム（情報作成プログラムおよび情報再生プログラムを含む）、イベント判定部６４の処理に必要なイベント判定情報、情報作成部６７にて作成されたプレゼン操作ファイルおよびプレゼン音声ファイル等を記憶する。
ここで、イベント判定情報は、具体的な図示は省略したが、各操作イベントがプレゼン操作ファイルの作成に必要であるか否かが記載されたテーブル構造でメモリ６９に記憶されている。例えば、プレゼン操作ファイルの作成に必要である操作イベントとしては、再生データの再生開始、再生停止の各操作イベント、再生データのページ送り、ページ戻しの各操作イベント等である。その他の操作イベントは、プレゼン操作ファイルの作成に必要ではない操作イベントに設定されている。
【００３７】
〔プロジェクタの動作〕
次に、上述したプロジェクタ１の動作を図面に基づいて説明する。
なお、以下では、プロジェクタ１の動作のうち、情報作成モード時におけるプレゼン操作ファイルおよびプレゼン音声ファイルの情報作成方法、および、自動プレゼンモード時におけるプレゼン操作ファイルおよびプレゼン音声ファイルに応じた再生データの情報再生方法を順に説明する。
【００３８】
〔情報作成方法〕
図２は、プロジェクタ１の情報作成方法を説明するフローチャートである。
図３は、プロジェクタ１の情報作成方法を説明するための図である。具体的に、図３（Ａ）は、メモリ６９に記憶されるプレゼン操作ファイルの一例を示す図である。図３（Ｂ）は、メモリ６９に記憶されるプレゼン音声ファイルの一例を示す図である。
なお、以下では、利用者により操作部４０へ情報作成モードに移行させる旨の入力操作が実施され、モード移行部６３によりプロジェクタ１が情報作成モードに設定されているものとする。また、記録媒体駆動装置１０に、記憶媒体が予め装填されているものとする。
【００３９】
先ず、制御装置６０は、利用者により操作部４０に再生データの再生開始の入力操作が実施されたか否かを常時、監視する（ステップＳＴ１）。
そして、ステップＳＴ１において、再生データの再生開始の入力操作が実施された場合には、再生制御部６８は、再生データの再生開始の操作イベントに応じて、通常再生制御を実施する。具体的に、再生制御部６８は、記録媒体駆動装置１０に装填された記憶媒体にアクセスし、記憶媒体に記憶された再生データを識別する識別情報（タイトル、記憶媒体固有の識別番号等）を認識する。また、再生制御部６８は、記録媒体駆動装置１０から１ページ目の画像データを出力させ、画像情報処理部６１に所定の制御指令を出力し、画像投射部５０から１ページ目の画像データに基づく画像光を拡大投射させる。そして、スクリーン上に１ページ目の画像データに基づく投影画像が表示され、講演者は、スクリーン上の投影画像に基づいて、プレゼンテーションを開始する。
【００４０】
また、上記通常再生制御に並行して、制御装置６０は、認識した再生データを識別する識別情報に関連付けて、前記再生データに応じたプレゼン操作ファイルＦ１（図３（Ａ））の作成を開始する（ステップＳＴ２）。
具体的に、ステップＳＴ１において入力操作された再生データの再生開始の操作イベント(start)は、イベント判定部６４によりメモリ６９に記憶されたイベント判定情報に基づいてプレゼン操作ファイルＦ１（図３（Ａ））の作成に必要な操作イベントであると認識され、操作イベント取得部６５により取得される（操作イベント取得ステップ）。そして、プレゼン操作作成部６７１は、最初の操作イベントである操作イベント番号Ｓ１として、図３（Ａ）に示すように、操作イベント(start)と該操作イベントに応じて表示する画像データのページ番号(page1)とをメモリ６９（プレゼン操作ファイルＦ１）に書き込む（プレゼン操作作成ステップ）。また、制御装置６０は、タイマ６６に時間の計測を開始させる。
【００４１】
また、上記通常再生制御に並行して、制御装置６０は、認識した再生データを識別する識別情報に関連付けて、前記再生データに応じたプレゼン音声ファイルＦ２（図３（Ｂ））の作成を開始する（ステップＳＴ３）。
具体的に、プレゼン音声作成部６７２は、講演者にて説明された音声がマイク２０にて集音され、マイク２０から出力される音声信号に基づいて音声データの作成（録音）を開始する。
【００４２】
ステップＳＴ３の後、制御装置６０は、利用者により操作部４０に入力操作が実施されたか否かを常時、監視する（ステップＳＴ４）。
そして、ステップＳＴ４において、入力操作が実施された場合には、イベント判定部６４は、メモリ６９に記憶されたイベント判定情報に基づいて、入力操作された操作イベントがプレゼン操作ファイルＦ１の作成に必要な操作イベントであるか否かを判定する（ステップＳＴ５）。
ステップＳＴ５において、「Ｎ」と判定された場合、すなわち、入力操作された操作イベントが投影画像の画質調整、音量調整等の操作イベントである場合には、プレゼン操作作成部６７１は、メモリ６９に操作イベントを書き込むことなく、ステップＳＴ４の処理に戻る。
【００４３】
一方、ステップＳＴ５において、イベント判定部６４は、「Ｙ」と判定した場合には、入力操作された操作イベントが再生データの再生停止の操作イベントではないか否かを判定する（ステップＳＴ６）。
ステップＳＴ６において、イベント判定部６４にて「Ｙ」と判定された場合には、操作イベント取得部６５は、操作イベントを取得する（ステップＳＴ７：操作イベント取得ステップ）。例えば、図３（Ａ）の例に示すように操作イベントが再生データのページ送りの操作イベント（key,PD）である場合には、操作イベント取得部６５は、ページ送りの操作イベント(key,PD)を取得する。また、再生制御部６８は、上記通常再生制御により、入力操作されたページ送りの操作イベント（key,PD）に応じて、記録媒体駆動装置１０から２ページ目の画像データを出力させ、画像情報処理部６１に所定の制御指令を出力し、画像投射部５０から２ページ目の画像データに基づく画像光を拡大投射させる。
【００４４】
ステップＳＴ７の後、プレゼン操作作成部６７１は、タイマ６６にて計測された時間から、操作イベント取得部６５により各操作イベントが取得される間隔時間を認識する。また、制御装置６０は、タイマ６６の計測時間を初期化し、再度、タイマ６６に時間の計測を開始させる（ステップＳＴ８）。例えば、上記の例では、プレゼン操作作成部６７１は、ステップＳＴ２において操作イベント取得部６５が再生データの再生開始の操作イベント(start)を取得してからステップＳＴ７において操作イベント取得部６５がページ送りの操作イベント(Key,PD)を取得するまでの間隔時間（図３（Ａ）の例では、３５ｓ）を、タイマ６６にて計測された時間から認識する。
【００４５】
ステップＳＴ８の後、プレゼン操作作成部６７１は、ステップＳＴ７において操作イベント取得部６５にて取得された操作イベント、および、ステップＳＴ８において認識した間隔時間をメモリ６９に書き込む（ステップＳＴ９：プレゼン操作作成ステップ）。例えば、図３（Ａ）の例では、操作イベント取得部６５にて取得された操作イベントが２番目の操作イベントである場合には、操作イベント取得部６５にて取得された操作イベント(key,PD)を２番目の操作イベントである操作イベント番号Ｓ２として、操作イベント(key,PD)と該操作イベントに応じて表示する画像データのページ番号(page2)とをメモリ６９に書き込む。また、プレゼン操作作成部６７１は、ステップＳＴ８において認識した間隔時間（３５ｓ）を各操作イベント（操作イベント番号Ｓ１，Ｓ２）に関連付けてプレゼン操作ファイルＦ１に書き込む。
【００４６】
また、ステップＳＴ８，ＳＴ９に並行して、プレゼン音声作成部６７２は、音声データの作成（録音）を停止し、ステップＳＴ７において操作イベント取得部６５にて操作イベントが取得されるまでに作成した音声データを対応する操作イベント（操作イベント番号）に関連付けてメモリ６９（プレゼン音声ファイルＦ２）に書き込む。また、プレゼン音声作成部６７２は、マイク２０から出力される音声信号に基づいて次の音声データの作成（録音）を開始する（ステップＳＴ１０：プレゼン音声作成ステップ）。
例えば、ステップＳＴ３において録音が開始されてから（ステップＳＴ２において前操作イベントとしての操作イベント番号Ｓ１の操作イベント(start)が取得されてから）ステップＳＴ７において後操作イベントとしての操作イベント番号Ｓ２の操作イベント(key,PD)が取得されるまでに録音された音声データは、ステップＳＴ１における再生データの再生開始の入力操作に応じて１ページ目の画像データに基づく投影画像が表示されている際に、講演者にて説明された音声のデータである。このため、プレゼン音声作成部６７２は、図３（Ｂ）の例に示すように、ステップＳＴ３において録音が開始されてからステップＳＴ７において操作イベント(key,PD)が取得されるまでに録音された音声データを第１音声データとして、前操作イベントとしての操作イベント(start)の操作イベント番号Ｓ１に関連付けてメモリ６９に書き込む。
【００４７】
そして、制御装置６０は、ステップＳＴ６においてイベント判定部６４にて「Ｎ」と判定されるまで、すなわち、再生データの再生停止の入力操作が実施されるまで、上述したステップＳＴ４〜ＳＴ１０を繰り返し実施する。
例えば、図３に示す例では、２ページ目の画像データに基づく投影画像が表示されてから２０ｓ後に、再生データのページ送りの入力操作(操作イベント(key,PD))が実施され、再生制御部６８による通常再生制御により、３ページ目の画像データに基づく投影画像が表示された例を示している。この際、ステップＳＴ７において操作イベント(key,PD)が取得され、ステップＳＴ８において間隔時間（２０ｓ）が取得される。そして、ステップＳＴ９において、操作イベント(key,PD)を３番目の操作イベントである操作イベント番号Ｓ３として、操作イベント(key,PD)と該操作イベントに応じて表示する画像データのページ番号(page3)とがメモリ６９に書き込まれる。また、ステップＳＴ９において、間隔時間（２０ｓ）が各操作イベント（操作イベント番号Ｓ２，Ｓ３）に関連付けられてメモリ６９に書き込まれる。さらに、ステップＳＴ１０において、第１音声データをプレゼン音声ファイルＦ２に書き込んでから（従前のステップＳＴ７において前操作イベントとしての操作イベント番号Ｓ２の操作イベント(key,PD)が取得されてから）後操作イベントとしての操作イベント番号Ｓ３の操作イベント(key,PD)が取得されるまでに録音された音声データが第２音声データとして、前操作イベントとしての操作イベント番号Ｓ２に関連付けてメモリ６９に書き込まれる。
【００４８】
また、図３に示す例では、３ページ目の画像データに基づく投影画像が表示されてから１５ｓ後に、再生データのページ戻しの入力操作(操作イベント(key,PU))が実施され、再生制御部６８による通常再生制御により、２ページ目の画像データに基づく投影画像が再度、表示された例を示している。この際、ステップＳＴ７において操作イベント(key,PU)が取得され、ステップＳＴ８において間隔時間（１５ｓ）が取得される。そして、ステップＳＴ９において、操作イベント(key,PU)を４番目の操作イベントである操作イベント番号Ｓ４として、操作イベント(key,PU)と該操作イベントに応じて表示する画像データのページ番号(page2)とがメモリ６９に書き込まれる。また、ステップＳＴ９において、間隔時間（１５ｓ）が各操作イベント（操作イベント番号Ｓ３，Ｓ４）に関連付けられてメモリ６９に書き込まれる。さらに、ステップＳＴ１０において、第２音声データをプレゼン音声ファイルＦ２に書き込んでから（従前のステップＳＴ７において前操作イベントしての操作イベント番号Ｓ３の操作イベント(key,PD)が取得されてから）後操作イベントとしての操作イベント番号Ｓ４の操作イベント(key,PU)が取得されるまでに録音された音声データが第３音声データとして、前操作イベントとしての操作イベント番号Ｓ３に関連付けてメモリ６９に書き込まれる。
【００４９】
さらに、図３に示す例では、２ページ目の画像データに基づく投影画像が再度、表示されてから２０ｓ後に、再生データの再生停止の入力操作(操作イベント(end)が実施され、再生制御部６８による通常再生制御により、投影画像の表示が停止された例を示している。この際、ステップＳＴ７において操作イベント(end)が取得され、ステップＳＴ８において間隔時間（２０ｓ）が取得される。そして、ステップＳＴ９において、操作イベント(end)を５番目の操作イベントである操作イベント番号Ｓ５として、操作イベント(end)がメモリ６９に書き込まれる。さらに、ステップＳＴ１０において、第３音声データをプレゼン音声ファイルＦ２に書き込んでから（従前のステップＳＴ７において前操作イベントとしての操作イベント番号Ｓ４の操作イベント(key,PU)が取得されてから）後操作イベントとしての操作イベント番号Ｓ５の操作イベント(end)が取得されるまでに録音された音声データが第４音声データとして、操作イベント番号Ｓ４に関連付けてメモリ６９に書き込まれる。
【００５０】
そして、制御装置６０は、ステップＳＴ６において、イベント判定部６４にて「Ｎ」と判定された場合、すなわち、再生データの再生停止の入力操作が実施された場合には、プレゼン操作ファイルＦ１の作成を終了するとともに（ステップＳＴ１１）、プレゼン音声ファイルＦ２の作成を終了する（ステップＳＴ１２）。
【００５１】
〔情報再生方法〕
図４は、プロジェクタ１の情報再生方法を説明するフローチャートである。
なお、以下では、利用者により操作部４０へ自動プレゼンモードに移行させる旨の入力操作が実施され、モード移行部６３によりプロジェクタ１が自動プレゼンモードに設定されているものとする。また、記録媒体駆動装置１０には、上述した情報作成方法において用いられた記憶媒体が予め装填されているものとする。さらに、メモリ６９には、上述した情報作成方法により作成されたプレゼン操作ファイルＦ１およびプレゼン音声ファイルＦ２が記憶されているものとする。
先ず、制御装置６０は、利用者により操作部４０に再生データの再生開始の入力操作が実施されたか否かを常時、監視する（ステップＳＴ２１）。
そして、ステップＳＴ２１において、再生データの再生開始の入力操作が実施された場合には、再生制御部６８は、再生データの再生開始の操作イベントに応じて、自動再生制御を実施する。具体的に、再生制御部６８は、記録媒体駆動装置１０に装填された記憶媒体にアクセスし、記憶媒体に記憶された再生データを識別する識別情報を認識する。また、再生制御部６８は、認識した識別情報に関連付けられたプレゼン操作ファイルＦ１およびプレゼン音声ファイルＦ２がメモリ６９に記憶されているか否かを判定する（ステップＳＴ２２）。
【００５２】
ステップＳＴ２２において、再生制御部６８は、「Ｎ」と判定した場合、すなわち、記憶媒体に記憶された再生データに対応したプレゼン操作ファイルＦ１およびプレゼン音声ファイルＦ２がメモリ６９に記憶されていない場合には、自動再生制御を実施することなく、処理を終了する。
一方、ステップＳＴ２２において、再生制御部６８は、「Ｙ」と判定した場合には、メモリ６９に記憶されたプレゼン操作ファイルＦ１およびプレゼン音声ファイルＦ２をオープンする（ステップＳＴ２３）。
ステップＳＴ２３の後、再生制御部６８は、プレゼン操作ファイルＦ１内の各操作イベントを操作イベント番号の順序にしたがって認識する（ステップＳＴ２４）。
ステップＳ２４の後、再生制御部６８は、認識した操作イベントが再生停止の操作イベント(end)ではないか否かを判定する（ステップＳＴ２５）。
【００５３】
ステップＳＴ２５において、再生制御部６８は、「Ｙ」と判定した場合には、以下の処理（ステップＳＴ２６，ＳＴ２７）を実行するとともに、タイマ６６に時間の計測を開始させる。
すなわち、画像再生制御部６８１は、記録媒体駆動装置１０から認識した操作イベントに応じた画像データを出力させ、画像情報処理部６１に所定の制御指令を出力し、前記画像データに基づく投影画像を表示させる（ステップＳＴ２６）。
また、ステップＳＴ２６に並行して、音声再生制御部６８２は、認識した操作イベント（操作イベント番号）に関連付けられた音声データをプレゼン音声ファイルＦ２から読み出し、音声情報処理部６２に所定の制御指令を出力し、前記音声データに基づく音声をスピーカ３０から発生させる（ステップＳＴ２７）。
例えば、図３に示す例では、画像再生制御部６８１は、最初に認識する操作イベント番号Ｓ１の操作イベント(start)がページ番号(page1)の画像データを表示する操作イベントであるため、ステップＳＴ２６において、記録媒体駆動装置１０から１ページ目の画像データを出力させる。そして、画像再生制御部６８１は、画像情報処理部６１に所定の制御指令を出力し、１ページ目の画像データに基づく投影画像を表示させる。また、音声再生制御部６８２は、ステップＳＴ２７において、操作イベント番号Ｓ１に関連付けられた第１音声データをプレゼン音声ファイルＦ２から読み出し、第１音声データに基づく音声をスピーカ３０から発生させる。すなわち、従前に実施したプレゼンテーション時において１ページ目の画像データに基づく投影画像の表示時に講演者が説明した音声がスピーカ３０から発生される。
【００５４】
ステップＳＴ２７の後、再生制御部６８は、プレゼン操作ファイルＦ１からステップＳＴ２６，ＳＴ２７を実行する際に認識した操作イベント番号と次の操作イベント番号とに関連付けられた間隔時間を認識し、タイマ６６にて計測された時間が間隔時間を経過したか否かを常時、監視する（ステップＳＴ２８）。
例えば、図３に示す例では、再生制御部６８は、ステップＳＴ２６，ＳＴ２７を実行する際に認識した操作イベント番号が操作イベント番号Ｓ１である場合には、プレゼン操作ファイルＦ１から操作イベント番号Ｓ１と次の操作イベント番号Ｓ２とに関連付けられた間隔時間（３５ｓ）を認識し、タイマ６６にて計測された時間が３５ｓを経過したか否かを常時、監視する。
【００５５】
そして、ステップＳＴ２８において、再生制御部６８は、「Ｙ」と判定した場合には、ステップＳＴ２５において「Ｎ」と判定するまで、すなわち、認識した操作イベントが再生停止の操作イベント(end)であると判定するまで、上述したステップＳＴ２４〜ＳＴ２８を繰り返し実施する。
例えば、図３に示す例では、ステップＳＴ２８において間隔時間（３５ｓ）が経過したと判定された後、ステップＳＴ２４，ＳＴ２５において、次の操作イベント番号Ｓ２であるページ番号(page2)の画像データを表示する操作イベント(key,PD)が認識される。そして、ステップＳＴ２６において２ページ目の画像データに基づく投影画像が表示され、ステップＳＴ２７において操作イベント番号Ｓ２に関連付けられた第２音声データに基づく音声がスピーカ３０から発生される。
【００５６】
また、ステップＳＴ２８において操作イベント番号Ｓ２，Ｓ３に関連付けられた間隔時間（２０ｓ）が経過したと判定された後、ステップＳＴ２４，ＳＴ２５において、次の操作イベント番号Ｓ３であるページ番号(page3)の画像データを表示する操作イベント(key,PD)が認識される。そして、ステップＳＴ２６において３ページ目の画像データに基づく投影画像が表示され、ステップＳＴ２７において操作イベント番号Ｓ３に関連付けられた第３音声データに基づく音声がスピーカ３０から発生される。
さらに、ステップＳＴ２８において操作イベント番号Ｓ３，Ｓ４に関連付けられた間隔時間（１５ｓ）が経過したと判定された後、ステップＳＴ２４，ＳＴ２５において、次の操作イベント番号Ｓ４であるページ番号(page2)の画像データを表示する操作イベント(key,PU)が認識される。そして、ステップＳＴ２６において２ページ目の画像データに基づく投影画像が再度、表示され、ステップＳＴ２７において操作イベント番号Ｓ４に関連付けられた第４音声データに基づく音声がスピーカ３０から発生される。
そして、再生制御部６８は、ステップＳＴ２８において操作イベント番号Ｓ４，Ｓ５に関連付けられた間隔時間（２０ｓ）が経過したと判定した後、ステップＳＴ２４，ＳＴ２５において、次の操作イベント番号Ｓ５である再生データの再生停止の操作イベント(end)を認識し（ステップＳＴ２５において「Ｎ」と判定）、自動再生制御を終了する。
【００５７】
なお、上記では、説明を省略したが、再生制御部６８は、利用者により操作部４０にプレゼン操作ファイルＦ１に含まれる各項目（各操作イベント）の項目送り、項目戻しの入力操作が実施された場合には、以下に示す自動再生制御も実施するものである。
例えば、１ページ目の画像データに基づく投影画像が表示されている際に、利用者により項目送りの入力操作が実施され、操作イベント番号Ｓ３であるページ番号(page3)の画像データを表示する操作イベント(key,PD)が選択された場合には、再生制御部６８は、選択された操作イベント番号Ｓ３の操作イベント(key,PD)に応じて、３ページ目の画像データに基づく投影画像を表示させる。また、再生制御部６８は、操作イベント番号Ｓ３に関連付けられた第３音声データに基づく音声をスピーカ３０から発生させる。再生制御部６８は、その他の操作イベント番号の操作イベントが選択された場合も同様の処理を実施する。
【００５８】
上述した第１実施形態によれば、以下の効果がある。
本実施形態では、プロジェクタ１は、マイク２０と、操作イベント取得部６５および情報作成部６７を有する制御装置６０とを備える。そして、プロジェクタ１は、プレゼンテーションに必要である再生データを含めずに、プレゼンテーションに関するプレゼン操作ファイルＦ１およびプレゼン音声ファイルＦ２のプレゼン情報を作成しているので、従来の構成と比較して、再生データを動画ファイルに変換する等の処理が不要となり、処理量の少ない簡素なハードウエアおよびソフトウエアでプレゼン情報を作成できる。また、プレゼン情報自体の容量も少ないため、プレゼン情報を記録するメモリ６９を比較的に少ない容量のメモリで構成できる。
また、制御装置６０は、自動再生制御を実施する再生制御部６８を備えているので、プレゼン情報を再生し、従前のプレゼンテーションを擬似的に再現することができる。また、プレゼン情報を再生し、従前のプレゼンテーションを擬似的に再現する際には、従前のプレゼンテーション時と同様に、動画ファイル等に変換されていない再生データに基づく投影画像が表示されるので、再生データに基づく画像に劣化が生じることがない。
【００５９】
さらに、プレゼン音声作成部６７２は、操作イベント取得部６５にて前操作イベントが取得されてから後操作イベントが取得されるまでの期間毎に音声データをそれぞれ生成し、生成した音声データを前操作イベントの操作イベント番号にそれぞれ関連付けてプレゼン音声ファイルＦ２を生成する。このことにより、再生制御部６８は、自動再生制御により、利用者により項目送りや項目戻しの入力操作が実施され、選択された項目（操作イベント）に応じたページの投影画像を表示させながら選択された項目に対応した音声データに基づく音声を発生させ、従前のプレゼンテーション時に前記ページの投影画像を表示させながら講演者が説明した音声を発生させることが可能となる。また、プレゼン音声作成部６７２が上述したようにプレゼン音声ファイルＦ２を作成するので、操作イベント（表示される投影画像のページ）に対応した音声データの追加や削除等の編集作業が容易に実施でき、プレゼン音声ファイルＦ２の取り扱いが容易となる。
【００６０】
また、操作イベント取得部６５は、イベント判定部６４にてプレゼン操作ファイルＦ１の作成に必要な操作イベントであると判定された操作イベントを取得する。このことにより、プレゼン操作作成部６７１は、投影画像の画質調整等の不要な操作イベントを含めることなく、再生データの再生開始、ページ送り、ページ戻し、および再生データの再生停止等の必要な操作イベントのみを含めてプレゼン操作ファイルＦ１を作成でき、不要にプレゼン操作ファイルＦ１の情報量を増大させることがない。
【００６１】
さらに、プロジェクタ１にてプレゼン情報を作成するため、プレゼン音声作成部６７２にノイズキャンセラ機能等を搭載しておけば、プロジェクタ１内部に設けられる図示しない冷却ファンからのファン騒音等を補正して、音質の良好な音声データを生成できる。
【００６２】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、プレゼン音声作成部６７２は、操作イベント取得部６５にて操作イベントが取得される毎に音声データをそれぞれ生成し、生成した各音声データを１つのファイル内に含めてプレゼン音声ファイルを作成している。
これに対して本実施形態では、プレゼン音声作成部６７２は、生成した各音声データをそれぞれ別のファイルとして各プレゼン音声ファイルを作成する。すなわち、本実施形態は、前記第１実施形態に対して、プレゼン音声ファイルの作成方法が異なるのみである。
【００６３】
図５は、第２実施形態における情報作成方法を説明するフローチャートである。
すなわち、本実施形態では、図５に示すように、制御装置６０は、ステップＳＴ３において識別情報に関連付けてプレゼン音声ファイル（音声データ）の作成を開始し、ステップＳＴ１０において音声データの作成（録音）を停止して該音声データを対応する操作イベントに関連付けてメモリ６９（プレゼン音声ファイル）に書き込んだ後、再度、ステップＳＴ３に戻る。そして、制御装置６０は、ステップＳＴ３において従前に作成したプレゼン音声ファイルとは異なる別のファイルで識別情報に関連付けてプレゼン音声ファイルの作成を開始し、ステップＳＴ１０において音声データの作成を停止して該音声データを対応する操作イベントに関連付けてメモリ６９（前記プレゼン音声ファイルとは別のプレゼン音声ファイル）に書き込む。
上述した第２実施形態によれば、プレゼン音声ファイルの作成方法を上述したように変更した場合であっても、前記第１実施形態と同様の効果を享受できる。
【００６４】
なお、本発明は前述の実施形態に限定されるものではなく、本発明の目的を達成できる範囲での変形、改良等は本発明に含まれるものである。
前記各実施形態では、操作イベント取得部６５が操作イベントを取得する構成として、プロジェクタ１に設けられた操作部４０に入力操作された操作イベントを取得する構成として説明したが、これに限らない。例えば、ＰＣ等を用いて、ＰＣから出力される画像データに基づいてプロジェクタ１に投影画像を表示させることでプレゼンテーションを実施する場合には、ＰＣにプレゼンテーションの開始、ページ送り、ページ戻し、プレゼンテーションの停止等の入力操作が実施され、前記入力操作に応じてＰＣから出力される制御コマンドを操作イベントとして取得する構成としても構わない。
【００６５】
前記各実施形態では、集音体をプロジェクタ１の外装筐体から露出して設けられたマイク２０として構成していたが、これに限らない。例えば、講演者にて説明された音声を集音するワイヤレスマイクから送信される信号を受信する受信部として構成しても構わない。
前記各実施形態では、プロジェクタ１は、プレゼンテーション時にプレゼン情報を作成する構成としていたが、これに限らない。例えば、プレゼンテーションを実施することなく、プレゼンテーションの聴衆が存在しない状態で、講演者が手元の資料を見ながら講演者により実施される操作部４０への入力操作や、講演者が説明した音声によりプレゼン情報を作成する構成としても構わない。
【００６６】
前記各実施形態では、再生制御部６８による自動再生制御により、プレゼン音声ファイルＦ２に含まれる各音声データに基づく音声をスピーカ３０に発生させる構成としていたが、これに限らない。例えば、音声再生制御部６８２にプレゼン音声ファイルＦ２に含まれる各音声データをテキスト化する機能を搭載する。そして、音声再生制御部６８２は、自動再生制御により、例えば、テキスト化した情報を画像データに重畳させて表示させる。このような構成では、聴覚障害者に対しても従前のプレゼンテーションを擬似的に実施できる。
【００６７】
前記各実施形態では、プレゼン音声作成部６７２は、操作イベント取得部６５にて前操作イベントが取得されてから後操作イベントが取得されるまでの期間毎に音声データをそれぞれ生成していたが、これに限らない。例えば、再生データの再生開始の操作イベント(start)が取得されてから再生データの再生停止の操作イベント(end)が取得されるまで連続して録音した音声データをプレゼン音声ファイルとして作成しても構わない。
前記各実施形態では、プレゼン操作ファイルの作成に必要である操作イベントとして、再生データの再生開始、再生停止の各操作イベント、再生データのページ送り、ページ戻しの各操作イベントとして説明したが、これに限らない。例えば、PowerPoint(マイクロソフト社製)ファイル等において、ページ毎に区分けされた各画像データにリンクが張られた他の画像データに基づく画像を表示させたり、前記各画像データにリンクが張られた音声データに基づく音声を発生させたりする旨の入力操作の各操作イベントを、プレゼン操作ファイルの作成に必要である操作イベントとして採用しても構わない。
【００６８】
前記各実施形態において、プロジェクタの構成としては、情報作成部６７を省略した構成としても構わない。このような構成とした場合には、前記各実施形態で説明した情報作成方法により作成されたプレゼン情報（プレゼン操作ファイルＦ１、プレゼン音声ファイルＦ２）を、メモリカード等の外部メモリや、ネットワーク等でサーバから取得し、再生制御部６８による自動再生制御により、プレゼン情報を再生し、従前のプレゼンテーションを擬似的に再現する再生専用のプロジェクタとして利用できる。
【００６９】
前記各実施形態において、プロジェクタ１の情報作成方法や情報再生方法は、前記各実施形態で説明した図２，図４，図５に示すフローに限らず、適宜、その処理順序を変更しても構わない。
前記各実施形態での光変調装置５２としては、透過型の液晶パネル、反射型の液晶パネル、あるいは、ＤＭＤ(Digital Micromirror Device)(米国テキサスインスツルメント社の商標)等を採用してもよい。
【産業上の利用可能性】
【００７０】
本発明は、プレゼンテーションに関するプレゼン情報を簡素な構成で作成できるため、プレゼンテーションに用いられるプロジェクタに利用できる。
【図面の簡単な説明】
【００７１】
【図１】第１実施形態におけるプロジェクタの概略構成を示すブロック図。
【図２】前記実施形態におけるプロジェクタの情報作成方法を説明するフローチャート。
【図３】前記実施形態におけるプロジェクタの情報作成方法を説明するための図。
【図４】前記実施形態におけるプロジェクタの情報再生方法を説明するフローチャート。
【図５】第２実施形態における情報作成方法を説明するフローチャート。
【符号の説明】
【００７２】
１・・・プロジェクタ、２０・・・マイク（集音体）、５１・・・光源装置、５２・・・光変調装置、５３・・・投射光学装置、６０・・・制御装置、６４・・・イベント判定部、６５・・・操作イベント取得部、６９・・・メモリ（判定情報記憶部、プレゼン情報記憶部）、６７１・・・プレゼン操作作成部、６７２・・・プレゼン音声作成部、６８１・・・画像再生制御部、６８２・・・音声再生制御部、Ｆ１・・・プレゼン操作ファイル（プレゼン操作情報）、Ｆ２・・・プレゼン音声ファイル（プレゼン音声情報）、ＳＴ７・・・操作イベント取得ステップ、ＳＴ９・・・プレゼン操作作成ステップ、ＳＴ１０・・・プレゼン音声作成ステップ。
【図１】
2009038623.tif 000003
【図２】
2009038623.tif 000004
【図３】
2009038623.tif 000005
【図４】
2009038623.tif 000006
【図５】
2009038623.tif 000007